(57)【要約】【課題】  近年、防犯意識の高まりから扉に面付け錠を取り付けることが増えてきた。しかし、強度の小さい扉に面付け錠を取り付ける場合には、扉の外側扉板と内側扉板のたわみが発生し、錠を扉に強固に取り付けることができないという問題がある。また、扉板のたわみや曲がりにより、シリンダー筒を保護することができないという問題もある。そのため、扉板のたわみ防止を図ることと、シリンダー筒を保護する技術を実現することが課題となる。【解決手段】シリンダー筒に組み付けた挟み座金と化粧座で、外側扉板を強固に挟んで取り付けることで錠の取り付け強度を確保し、シリンダー筒を保護するとともに、錠の化粧座に対して外側扉板のたわみを防止し、化粧座の取り付けバーに組み付けた挟み座金と錠ケースで内側扉板を強固に挟み、錠ケースに対して内側扉板のたわみを防止する面付け錠取り付け機構を実現した。【選択図】図５
2008031649.tif 000002
【特許請求の範囲】
【請求項１】
扉の室内側面に面付けした錠ケース（３）と扉の室外側面に面付けした化粧座（７）で扉を挟んで取り付けする面付け錠の取り付けにあたり、錠ケースに取り付けたシリンダー筒（８）の先端が扉と化粧座を貫通して室外側に出る事を利用して、シリンダー筒（８）の外周にネジ（９）を設け、そのネジにリング状の挟み座金（１０）を組み付けた構造で、扉に面付け錠を取り付けた時に扉の外側扉板（１）が化粧座（７）と挟み座金（１０）の間に強く挟まれることによってシリンダー筒の外周が保護され、シリンダー筒や化粧座に対して外側扉板のたわみを防止することを特徴とする面付け錠取付け機構。
【請求項２】
化粧座（７）から突き出た取り付けバー（１１）の外周にネジ（１２）を設け、そのネジに挟み座金（１３）を組み付けた構造で、扉に面付け錠を取り付けた時に内側扉板（２）が錠ケース（３）と挟み座金（１３）の間に強く挟まれることによって、錠ケースに対して内側扉板のたわみを防止することを特徴とする面付け錠取り付け機構。
【発明の詳細な説明】
【技術分野】
【０００１】
面付け錠を取り付けるにあたり、シリンダーの保護と扉のたわみを防止する技術に関する。
【背景技術】
【０００２】
近年は防犯意識の高まりから、強度の低い扉に対しても錠を取り付ける事が多くなった。
強度の低いドアでは扉内に補強材やたわみ防止材の無い扉も多く，錠を取り付ける為のベースとなる部材の無い扉も多い。
それらの扉や他の扉に対して錠を取り付けるにあたり、一般に取り付けが簡単で、扉の戸先を削らないで取り付けるので扉の強度を落とさないのが面付け錠である。
【０００３】
本来は強度の低い扉に錠を取り付ける場合は、図１１で示したように、扉内に補強座金（３０）を組み付ける必要がある。
補強座金は、扉に対して錠を強固に取り付けると同時に、扉の外側扉板と内側扉板のたわみを防止する。
しかし、この補強座金は、扉を工場で作る過程でなければ組み付けられない。
そのために、錠の取り付けを設定していない扉には、補強座金は付いていない。
【０００４】
補強座金の無い扉に対して面付け錠を取り付けた様子を示すのが図１０である。取り付けバーネジ（２９）を締付ければ締める程、扉の厚さは際限なく狭まる。
そのため、取り付けバーネジは扉があまり狭まらない位置で、緩く締めた状態にとどめているのが現状である。その状態では扉に対する錠セットの固定は緩い。
【０００５】
その状態で発生する問題点として、以下のものが挙げられる。
錠の固定が緩いことで錠受けと錠ケースの位置関係が狂い易い。
化粧座と扉板の間にドライバーやバールを挟んで広げ、シリンダー筒の首部分を露出させ、シリンダーの首部分を破壊されることがある。
シリンダーの筒は屋外に露出する部分は強いが、露出しない部分は弱いことが多い。
錠セットが、扉に錠を取り付けるために開けた切欠き穴の遊びの範囲でずれ動く。
錠の回りの外側扉板や内側扉板がポコポコ凹むことがあるが、そのような強度の弱い扉にも錠の取り付けを求められることが多い。
【０００６】
現在においても、扉のたわみ防止装置の付いた錠前は見られる。面付け錠を取り付けた時に外側扉板（４１）が、化粧座（４３）と錠ケースから扉内側に突き出したたわみ防止装置（５１）の間に挟まれることで、外側扉板のたわみを防止せんとするものである。
以下、図１２，１３に基づき、現存するそのたわみ防止装置の付いた面付け錠（以下、「従来品」とする）に関して説明する。
【０００７】
従来品の中には、本発明の外側扉板を化粧座とシリンダーに組み付けた挟み座金で挟んで、外側扉板のたわみを防止する効果と似ているものがある。
しかし、従来品には、シリンダー保護といった面での施策が見られない。
例えば、図１２に示すように、たわみ防止装置（５１）から離れた位置の化粧座（４３）周囲の外側扉板（４１）を図１２の５３ａのように押込み、化粧座と外側扉板の間に隙間を作り、そこからシリンダー筒の首部分に金鋸等を当ててシリンダー筒を破る。あるいは、その隙間から針金（５２）等を入れてテールピース（４５）を回したり、直接的にサムターン軸（４７）を回したりすることによる不正解錠が考えられる。
シリンダーが化粧座に組み付けてある従来品と異なり、本発明では、シリンダーは化粧座ではなく、錠ケースに組み付けてあるため、針金を入れてテールピース等を回すことはできない。
また、従来品は、図１３で示したように、外側扉板のたわみを防止するだけで、内側扉板のたわみを防止することはできないと思われる。外側扉板と内側扉板の両方のたわみを防止できてこそ意味があるものと考える。
【０００８】
他にも、特開２００２−１６８０１１において似た技術が出願されている。
確かに、特開２００２−１６８０１１の支持筒が、本発明のシリンダー外周に設ける挟み座金に似てはいるが、支持筒はシリンダーの長さを扉の厚さに合わせて伸縮させるものであり、本発明のようにシリンダーの保護や外側扉板のたわみを防止するものではない。
したがって、本願発明は、構造上はもちろんのこと、目的・効果も、特開２００２−１６８０１１とは大きく異なる。
【特許文献１】特開２００２−１６８０１１
【発明の開示】
【発明が解決しようとする課題】
【０００９】
図１１で示したように、扉内に補強金具を設け、面付け錠の取り付けにあたって錠の取り付け強度を確保し、扉強度を向上させ、シリンダーを破壊や不正操作から守り、外側扉板や内側扉板のたわみを防止するのが理想である。
しかし既に有る扉で、図１１の補強座金にあたるものの無い扉に対してはその理想を実現することは無理である。
せめて錠の取り付け強度をより向上させ、シリンダーを破壊や不正操作から守り、外側扉板や内側扉板のたわみを少なくすることが課題である。
【課題を解決するための手段】
【００１０】
請求項１記載の機構の仕組みと効果を図３，４，７に基づいて説明する。
シリンダー筒（８）の外周にネジ（９）を設け、そのネジにリング状の挟み座金（１０）を組み付ける。ネジに挟み座金を組み付けるのは扉の厚さ違いに対応するためで、扉の厚さが決まっていれば挟み座金はシリンダー筒の外周に固定しても良い。扉の厚さに合わせるには、挟み座金を回して移動させ、図９Ａの突き出し寸法（１４）を扉の厚さに合わせる。
【００１１】
それを扉に取り付けた状態を示すのが図３である。取り付けバーネジ（４）を締めると外側扉板（１）が化粧座（７）と挟み座金（１０）の間に挟まれる。取り付けバーネジを強く締め付ける程その挟まれ強度が増し、外側扉板は化粧座と挟み座金に対して強く固定され、外側扉板のたわみを防止する。
その外側扉板が挟まれた状態は、図７Ａのようになる。
【００１２】
その状態でシリンダー筒が破壊や不正操作から保護される仕組みを図７Ｂに基づいて説明する。外側扉板（１）を押込まれると図７Ｂの外側扉板（１）のように扉板はへこむ。しかし外側扉板は化粧座と挟み座金に強く挟まれており、シリンダー筒（８）が室外側に露出しない。
もし外側扉板を破られ、穴をあけられても挟み座金がシリンダー筒を保護する。よって請求項１記載の面付け錠取り付け機構は錠セットを外側扉板に対して強固に取り付け、外側扉板のたわみを防止し、同時にシリンダー筒の保護をする事が出来る。
【００１３】
請求項２記載の機構の仕組みと効果を図５，６，８に基づいて説明する。化粧座（７）と錠ケース（３）で扉を挟んで取り付ける為に、化粧座に設けた取り付けバー（１１）に対して、取り付けバーの外周にネジ（１２）を設け、そのネジに挟み座金（１３）を組み付ける。ネジに挟み座金を組み付けるのは扉の厚さ違いに対応するためで、扉の厚さが決まっていれば挟み座金は取り付けバーに固定しても良い。扉の厚さに合わせるには挟み座金を回して移動させ、図９Ｂの突き出し寸法（１５）を扉の厚さに合わせる。
【００１４】
その機構を有する錠前を扉に取り付けた状態を示すのが図５である。図５は請求項１記載の機構も合わせて設けた事を示す。
取り付けバーネジ（４）を締めると取り付けバー（１１）に組み付けた挟み座金（１３）と錠ケース（３）の間に内側扉板（２）が挟まれる。取り付けバーネジを強く締めるほど内側扉板は強く挟まれ、錠ケースに固定される。よって内側扉板のたわみが防止される。内側扉板が挟み座金と錠ケースに挟まれた状態は、図８で示した通りである。
【００１５】
請求項１記載の取り付け機構はそれだけで面付け錠の取り付けに有効である。しかし扉のたわみを防止するのは外側扉板だけである。
図５のように請求項２記載の機構を合わせて使用することで、内側扉板のたわみも合わせて防止することができ、図１１で示した補強座金（３０）を使った取り付けのように両扉板に対して錠セットをしっかりと固定することが出来る。
【発明の効果】
【００１６】
従来の扉板強度の弱い扉や、錠を取り付ける為の補強材の無い扉に於いて面付け錠を取り付けようとすると、扉板のたわみによって錠の取り付け強度が得にくく、シリンダー筒が屋外からの破壊や不正操作を受け易い。
請求項１記載の面付け錠取り付け機構を使い、扉の外側扉板を化粧座とシリンダー筒に組み付けた挟み座金で挟み、化粧座に外側扉板を固定する事で外側扉板のたわみを防止し、合わせてシリンダー筒の保護が可能になる。
外側扉板がシリンダー筒を保護し、外側扉板が破られても挟み座金がシリンダー筒の保護をする事で錠の防犯強度を向上させる。
【００１７】
請求項１記載の機構に合わせて請求項２記載の機構を同時に使うことで、内側扉板も錠ケースに固定され、内側扉板のたわみも同時に防止することが出来る。
錠を取り付ける為の取り付けバーネジを強く締めても扉の厚さを縮めること無く錠セットの取り付けが可能となり、扉に対して錠セットを強固に取り付けることが可能となる。
【発明を実施するための最良の形態】
【００１８】
請求項１記載の面付け錠取り付け機構を使った錠の取り付け方を図３、４に基づいて説明する。
シリンダー筒（８）の外周に設けたネジ（９）に挟み座金（１０）をねじ込み、扉の厚さに合わせて図９Ａの突き出し寸法（１４）を合わせる。
突き出し寸法は扉の厚さから外側扉板（１）の厚さを差し引いた寸法とする。
それより１〜２ミリメートル小さい寸法としても良い。
【００１９】
次に化粧座（７）と錠ケース（３）で扉を挟み、取り付けバーネジ（４）を強く締めて錠セットを取り付ける。
その結果、外側扉板（１）が化粧座と挟み座金の間に強く挟まれ、錠セットが外側扉板に固定され、化粧座に対して外側扉板のたわみが防止される。
外側扉板が化粧座と挟み座金に強く挟まれる事で、扉板が押込まれても扉板がシリンダーから離れず、外側扉板によってシリンダー筒が保護される。そして、外側扉板が破られても挟み座金によってシリンダーが保護される。
【００２０】
請求項２記載の面付け錠取り付け機構を使った錠の取り付け方を、図５、６に基づいて説明する。
化粧座（７）の取り付けバー（１１）の外周にネジ（１２）を設け、そのネジに挟み座金（１３）をネジ込み、扉の厚さに合わせて図９Ｂの突き出し寸法（１５）を合わせる。突き出し寸法は扉の厚さから内側扉板（２）の厚さを差し引いた寸法とする。
それより１〜２ミリメートル小さい寸法としても良い。
請求項１記載の機構と合わせて使う場合は、シリンダー筒に組み付けた挟み座金の突き出し寸法と同じ寸法にする。
【００２１】
次に化粧座（７）と錠ケース（３）で扉を挟み、取り付けバーネジ（４）を強く締めて錠セットを取り付ける。
結果内側扉板（２）が挟み座金（１３）と錠ケース（３）の間に強く挟まれ、錠セットが内側扉板に強く固定されると共に錠ケースに対して内側扉板のたわみを防止する。
【００２２】
請求項１，２記載の機構を合わせて使うことで、錠のシリンダー筒が保護されるのに合わせて、錠セットに対して外側扉板と内側扉板の両方のたわみを防止することができる。
【図面の簡単な説明】
【００２３】
【図１】請求項１，２記載の機構を持つ面付け錠を扉に取り付けた内観斜視図である。
【図２】図１から扉を外した図である。
【図３】図１のＡＡ断面で請求項１記載の機構を示す。
【図４】図３の錠セットを扉から外して分解した事を示す。
【図５】図１のＡＡ断面で、請求項１，２記載の機構を合わせて使った錠セットを示す。
【図６】請求項２記載の、取り付けバーに挟み座金を組み付けた構造を示す。
【図７】Ａ，請求項１記載の機構の、シリンダー筒に組み付けた挟み座金と化粧座で外側扉板を挟んだ状態を示す。  Ｂ，Ａ図の扉板を押込んでも扉板と挟み座金がシリンダー筒を守る事を示す。
【図８】請求項２記載の機構の、取り付けバーに組み付けた挟み座金と錠ケースで内側扉板を挟んだ状態を示す。
【図９】Ａ，シリンダー筒に組み付けた挟み座金の突き出し寸法を示す。    Ｂ，取り付けバーに組み付けた挟み座金の突き出し寸法を示す。
【図１０】強度の弱い扉に面付け錠を取り付け、外側扉板と内側扉板がたわんだ事を示す。
【図１１】図１０のような扉で、本来必要な補強座金を使って行う、錠の理想的な取り付けを示す。
【図１２】従来品の断面で、図１のＡＡ断面にあたる。シリンダーの保護ができないことを示す。
【図１３】従来品の断面で、シリンダー位置水平断面を示す。
【符号の説明】
【００２４】
１        外側扉板
２        内側扉板
３        錠ケース
４        取り付けバーネジ
５        サムターンツマミ
６        デッドボルト
７        化粧座
８        シリンダー筒
９        ネジ
１０      挟み座金
１１      取り付けバー
１２      ネジ
１３      挟み座金
１４      突き出し寸法
１５      突き出し寸法
２１      外側扉板
２２      内側扉板
２３      コア材
２４      化粧座
２５      錠ケース
２６      シリンダー筒
２７      取り付けバー
２８      サムターンツマミ
２９      取り付けバーネジ
３０      補強座金
４１      外側扉板
４２      内側扉板
４３      化粧座
４４      シリンダー
４５      テールピース
４６      サムターンツマミ
４７      サムターン軸
４８      錠ケース
４９      取り付けバー
５０      取り付けバーネジ
５１      たわみ防止装置
５２      針金
５３      押込まれた外側扉板
５４      たわんだ内側扉板
【図１】
2008031649.tif 000003
【図２】
2008031649.tif 000004
【図３】
2008031649.tif 000005
【図４】
2008031649.tif 000006
【図５】
2008031649.tif 000007
【図６】
2008031649.tif 000008
【図７】
2008031649.tif 000009
【図８】
2008031649.tif 000010
【図９】
2008031649.tif 000011
【図１０】
2008031649.tif 000012
【図１１】
2008031649.tif 000013
【図１２】
2008031649.tif 000014
【図１３】
2008031649.tif 000015